(57)【要約】【課題】施術師志望者への習得機関情報の提供、繰り返し研修、及び開業施術師への症例情報の提供を行う為の支援システムを提供することを目的とする。【解決手段】施術師端末装置からの研修公開要求信号に応答して、カリキュラム情報一覧を施術師端末装置に送信し、その中からカリキュラム情報の選択を受け付けて、カメラ装置からの研修実況情報を施術師端末装置に送信する研修公開手段と、施術師端末装置からの研修再生要求信号に応答して、カリキュラム情報一覧を施術師端末装置に送信し、その中からカリキュラム情報の選択を受け付けて、その映像・音声を再生する研修再受講手段と、施術師端末装置からの代替医療法検索要求信号に応答して、症例情報の一覧を施術師端末装置に送信し、その中から症例情報の選択を受け付けて、その症例情報を施術師端末装置に送信する症例調査手段とを備えることを特徴とする。【選択図】          図１
2004355553.tif 000002
【特許請求の範囲】
【請求項１】
西洋医学を補う為に用いられる整体、カイロプラクティック、柔道整復、指圧、マッサージ、按摩、及び鍼灸を含む手技療法と、筋肉に緊張と緩和を促すことによって骨格の歪を調整するバランス活性療法とを含む代替医療法を施す施術師の養成とその施術院の開業とを支援するシステムであって、
前記施術師の志望者を含む施術師側が備える施術師端末装置と、前記代替医療法の施術中の映像・音声を取得する為のカメラ装置と、この施術師端末装置とカメラ装置とに通信ネットワークを介して接続される、前記支援システムの運用管理機関側が備える支援管理装置とを備え、
前記支援管理装置は、前記施術師を養成する為の研修科目毎にその研修順番と研修内容と前記カメラ装置の装置アドレスとを含むカリキュラム情報と、前記研修科目毎に研修中の映像・音声を含む研修録画情報と、症状分類名毎及びその詳細症状分類名毎に前記施術師からの詳細症状内容に対する代替医療法の内容を含む症例情報とを少なくとも登録した情報記憶装置と、
前記施術師端末装置からの研修公開要求信号に応答して、前記カリキュラム情報の一覧をその施術師端末装置に送信し、その中から前記カリキュラム情報の選択を受け付けて、そのカリキュラム情報のカメラ装置の装置アドレスに属する前記カメラ装置からの前記施術師を養成する為の研修中の映像・音声を含む研修実況情報をその施術師端末装置に送信する研修公開手段と、
前記施術師端末装置からの研修再生要求信号に応答して、前記カリキュラム情報の一覧をその施術師端末装置に送信し、その中から前記カリキュラム情報の選択を受け付けて、そのカリキュラム情報の研修科目より、該当する前記研修録画情報を取得してその研修録画情報の映像・音声をその施術師端末装置に送信しながら再生する研修再受講手段と、
前記施術師端末装置からの代替医療法検索要求信号に応答して、腰痛、肩こり、関節痛とに少なくとも分類した症状分類名の一覧をその施術師端末装置に送信し、その中から前記症状分類名の選択を受け付けて、その症状分類名より、該当する前記症例情報の一覧をその施術師端末装置に送信し、その中から前記症例情報の選択を受け付けて、その症例情報をその施術師端末装置に送信する症例調査手段とを備えることを特徴とする、施術師養成・施術院開業支援システム。
【請求項２】
前記情報記憶装置は、前記研修科目毎及び研修開催場所毎にその研修内容と講師名と募集申込人数と現在申込人数とを含む集合研修申込集計情報を更に含み、
前記支援管理装置は、前記施術師端末装置からの集合研修申込要求信号に応答して、前記集合研修申込集計情報の一覧をその施術師端末装置に送信し、その中から前記集合研修申込集計情報の選択と、受講希望者の氏名と連絡先とを含む集合研修申込情報の入力とを受け付けて前記情報記憶装置に登録し、選択を受け付けた集合研修申込集計情報の現在申込人数に１を加算して更新する集合研修申込手段と、
前記集合研修申込集計情報の現在申込人数が申込人数に達した場合は、その集合研修申込集計情報に研修開催日程を付加した集合研修案内情報をその集合研修申込集計情報に属する受講希望者の前記施術師端末装置に送信すると共に、前記情報記憶装置に登録する集合研修案内手段とを更に備えることを特徴とする、請求項１に記載の施術師養成・施術院開業支援システム。
【請求項３】
前記支援管理装置は、前記施術師端末装置からの代替医療法回答公募要求信号に応答して、症状分類名毎及びその詳細症状分類名毎にその詳細症状内容と実施代替医療法と質問内容と質問施術院名とを含む代替医療法質問情報の入力を受け付けて、その代替医療法質問情報を前記情報記憶装置に登録して、その詳細症状内容に対する代替医療法の回答を公募する代替医療法回答公募手段と、
前記施術師端末装置からの代替医療法回答登録要求信号に応答して、前記代替医療法質問情報の一覧をその施術師端末装置に送信し、その中から前記代替医療法質問情報の選択を受け付けて、その代替医療法質問情報の詳細症状内容に対する回答代替医療法の入力を受け付けて、前記代替医療法質問情報の症状分類名、詳細症状分類名、及び入力を受け付けた回答代替医療法と回答施術院名とを含む代替医療法回答情報を作成して前記情報記憶装置に登録すると共に、その代替医療法回答情報を、選択を受け付けた前記代替医療法質問情報の施術師側に属するその施術師端末装置に送信する代替医療法回答手段とを更に備えることを特徴とする、請求項１、又は請求項２に記載の施術師養成・施術院開業支援システム。
【請求項４】
前記情報記憶装置は、代替医療法を施す施術師が開業する施術院名と連絡先と所在地図とを含む施術院情報と、前記施術師が代替医療法を施した患者名と連絡先と在住地域名とを含む患者情報とを更に含み、
前記支援管理装置は、前記患者側が備える患者端末装置に通信ネットワークを介して更に接続され、
又、前記支援管理装置は、前記施術師端末装置からの開業案内要求信号に応答して、在住地域名の入力を受け付けて、該当する前記患者情報の一覧をその施術師端末装置に送信し、その施術師端末装置に属する前記施術院情報を付加した開業案内情報を前記患者情報の一覧に属するそれぞれの前記患者端末装置に送信する開業案内手段を更に備えることを特徴とする、請求項１乃至請求項３の何れか１項に記載の施術師養成・施術院開業支援システム。
【請求項５】
前記カリキュラム情報の研修科目は、施術師の認定試験を含み、
前記情報記憶装置は、前記施術師の認定試験を受験する受験者名を含む受験者情報と、前記受験者名毎に前記認定試験を受験する受験科目を含む受験科目情報とを更に含み、
前記支援管理装置は、前記認定試験の合否を判定する試験官側が備える試験官端末装置に通信ネットワークを介して更に接続され、
又、前記支援管理装置は、前記試験官端末装置からの認定試験録画要求信号に応答して、前記受験者情報の一覧をその試験官端末装置に送信し、その中から前記受験者情報の選択を受け付けて、その受験者情報の受験者名より、該当する前記受験科目情報の一覧をその試験官端末装置に送信し、その中から前記受験科目情報の選択を受け付けて、その受験科目情報のカメラ装置の装置アドレスに属する前記カメラ装置からの前記受験者の認定試験中に於ける映像・音声を含む試験実況情報を前記受験科目情報に付加して登録する認定試験録画手段と、
前記試験官端末装置からの認定試験結果登録要求信号に応答して、前記受験者情報の一覧をその試験官端末装置に送信し、その中から前記受験者情報の選択を受け付けて、その受験者情報の受験者名より、該当する前記受験科目情報の一覧をその試験官端末装置に送信し、その中から前記受験科目情報の選択を受け付けて、前記受験科目情報の映像・音声をその試験官端末装置に送信しながら再生し、その受験者名と研修科目名と優良箇所と要改善箇所とそれぞれの判定理由とを含む認定試験結果情報の入力を受け付けて、その認定試験結果情報を前記情報記憶装置に登録する認定試験結果登録手段と、
前記施術師端末装置からの認定試験結果検索要求信号に応答して、その施術師端末装置に属する前記受験者情報と前記受験科目情報の一覧をその施術師端末装置に送信し、その中から前記受験科目情報の選択を受け付けて、その受験科目情報の映像・音声をその施術師端末装置に送信しながら再生し、その受験科目情報に属する前記認定試験結果情報をその施術師端末装置に送信する認定試験結果検索手段とを更に備えることを特徴とする、請求項１乃至請求項４の何れか１項に記載の施術師養成・施術院開業支援システム。
【請求項６】
前記情報記憶装置は、代替医療法を自己療法にて施す患者が利用する為のサプリメントや自己療法器具について、その商品名と商品画像と小売単価と卸売単価と在庫数量とを含む商品情報と、前記施術院名毎及び前記商品名毎に、その在庫数量を含む在庫情報とを更に含み、
前記施術院情報と前記患者情報とは、前記施術師と前記患者側とが購入した前記商品情報による商品を決済する為の取引口座番号を更に含み、
前記支援管理装置は、前記施術師と前記患者側とが購入した前記商品情報による商品を決済する金融機関側が備える決済コンピュータに通信ネットワークを介して更に接続され、
又、前記支援管理装置は、前記施術師端末装置からの商品卸売要求信号に応答して、前記商品情報の一覧をその施術師端末装置に送信し、その中から前記商品情報の選択とその商品の卸売数量の入力とを受け付けて、その施術師端末装置に属する前記施術院情報と選択を受け付けた前記商品情報と入力を受け付けた卸売数量とより、購入者名と前記取引口座番号と振替金額とを含む商品卸売情報を作成して前記情報記憶装置に登録すると共に、該当する前記在庫情報を検索してその在庫数量に入力を受け付けた卸売数量を加算して更新する商品卸売手段と、
前記患者端末装置からの商品小売要求信号に応答して、前記施術院情報の一覧をその患者端末装置に送信し、その中から前記施術院情報の選択を受け付けて、その施術院情報より、該当する前記在庫情報を検索して前記商品情報の一覧に付加してその患者端末装置に送信し、その中から前記商品情報の選択とその商品の小売数量の入力とを受け付けて、その患者端末装置に属する前記患者情報と選択を受け付けた前記商品情報と入力を受け付けた小売数量とより、購入者名と前記取引口座番号と振替金額とを含む商品小売情報を作成して前記情報記憶装置に登録すると共に、選択を受け付けた前記施術院情報と前記商品情報とより該当する前記在庫情報を検索してその在庫数量から入力を受け付けた小売数量を減算して更新する商品小売手段と、
前記商品卸売情報と前記商品小売情報とを前記決済コンピュータに送信する商品売上送信手段とを更に備えることを特徴とする、請求項４、又は請求項５に記載の施術師養成・施術院開業支援システム。
【発明の詳細な説明】
【０００１】
【発明の属する技術分野】
本発明は、西洋医学を補う為に用いられる整体、カイロプラクティック、柔道整復、指圧、マッサージ、按摩、及び鍼灸を含む手技療法と、筋肉に緊張と緩和を促すことによって骨格の歪を調整するバランス活性療法とを含む代替医療法を施す施術師の養成とその施術院の開業とを支援するシステムに関するものである。
【０００２】
【従来の技術】
厚生労働省の「国民生活基礎調査」によると、日本人が自覚している症状の第一位は、「腰痛」で一千万人近くに達し、二位の「肩こり」、三位の「関節痛」を加えると二千五百万人にもなり、これらの症状に対する療法としての西洋医学を補う為に用いられる整体、カイロプラクティック、柔道整復、指圧、マッサージ、按摩、及び鍼灸を含む手技療法や筋肉反射テストによるバランス診断によって施術方針を決め、呼吸を使って自律神経に働きかけるバランス活性療法を施す施術師のニーズは、高齢患者の増加に伴って益々高まっている。
【０００３】
しかしながら、施術師を養成する為の代替医療法が習得できる学校等の技術教育機関は、国家資格を取得する試験勉強が中心であり、本当に前記の症状を治すことができる技術は、その学校以外の研修に参加して習得する方法や、又は、有名な先生に弟子入りして「見て盗む」方法しかないのが一般的であり、多くの選択肢の中から選択する為には、その紹介パンフレットによる情報のみでは、情報が不足している問題もあげられている。
【０００４】
又、初心者に於いては、受講した研修科目に於いても、その代替医療法を習得する為に、納得がいく迄、何度でも繰り返し同じ研修科目を気軽に受けることができる手段も望まれている。
【０００５】
又、研修の終了後や施術院の開業後に於いて、患者に対する代替医療法が行き詰まった時に、その症状に対する代替医療法を調査する手段やその意見を他の施術師に仰ぐことができる手段も望まれている。
以上が代替医療法の施術師養成と施術院開業に係る課題である。
【０００６】
一方、施術師の養成やその施術院の開業を支援するシステム事例として、例えば、特開２００２−１２３１６４号公報に開示されている「代替医療の教育カリキュラムの供給方法、代替医療によるセルフケアの方法、及び代替医療を用いた個別の健康診断方法」が示すように、教育カリキュラムの供給方法では、家庭内での利用目的、健康産業界で役立つ知識と技術の養成目的、及び学校講師としての知識と技術の養成目的の為に、利用者からの代替医療教育の受講申込を受け付けて、利用者に対してそれぞれの教育カリキュラムの配信が行われている。
又、セルフケアの方法では、利用者からのセルフケアの申込みを受け付けて、利用者に対して人体の図と症状を配信し、利用者が選択した人体の部位と症状に応じて、そのその症状を引き起こす原因と症状を解消する方法との配信が行われている。
又、個別の健康診断方法では、利用者からの健康診断の申込を受け付けて、利用者に対して健康に関する質問事項を配信し、この質問事項に対する利用者の回答に基づいた健康アドバイスの送信が行われている。
【０００７】
しかしながら、前述の課題である、代替医療法の施術師の志望者に対して、通学する技術教育機関を選択する為の情報公開、希望地域での集合研修を受講する為の受講受付、研修技術を習熟する為の補習提供、及び施術師認定試験に必要な技術を習熟する為の未熟箇所に於ける改善ポイントの提供については行われていない。
又、施術院を開業した施術師に対して、その患者に適切な代替医療法を施す為の症例情報の提供や他の施術師からの技術情報の公募についても行われていない。
【０００８】
【特許文献１】
特開２００２−１２３１６４号公報（第１〜９頁）
【０００９】
【発明が解決しようとする課題】
以上のような問題を解決する為に本発明では、代替医療法の施術師の志望者に対して、技術教育機関を選択する為の情報公開、希望地域での集合研修を受講する為の受講受付、研修技術を習熟する為の補習提供、及び施術師認定試験に必要な技術を習熟する為の未熟箇所に於ける改善ポイントの提供、又、施術院を開業した施術師に対して、その患者に適切な代替医療法を施す為の症例情報の提供や他の施術師からの技術情報の公募を行う為の支援システムを提供することを目的とする。
【００１０】
【課題を解決するための手段】
上記目的を達成する為、請求項１に記載の発明は、西洋医学を補う為に用いられる整体、カイロプラクティック、柔道整復、指圧、マッサージ、按摩、及び鍼灸を含む手技療法と、筋肉に緊張と緩和を促すことによって骨格の歪を調整するバランス活性療法とを含む代替医療法を施す施術師の養成とその施術院の開業とを支援するシステムであって、
前記施術師の志望者を含む施術師側が備える施術師端末装置と、前記代替医療法の施術中の映像・音声を取得する為のカメラ装置と、この施術師端末装置とカメラ装置とに通信ネットワークを介して接続される、前記支援システムの運用管理機関側が備える支援管理装置とを備え、
前記支援管理装置が、前記施術師を養成する為の研修科目毎にその研修順番と研修内容と前記カメラ装置の装置アドレスとを含むカリキュラム情報と、前記研修科目毎に研修中の映像・音声を含む研修録画情報と、症状分類名毎及びその詳細症状分類名毎に前記施術師からの詳細症状内容に対する代替医療法の内容を含む症例情報とを少なくとも登録した情報記憶装置と、
前記施術師端末装置からの研修公開要求信号に応答して、前記カリキュラム情報の一覧をその施術師端末装置に送信し、その中から前記カリキュラム情報の選択を受け付けて、そのカリキュラム情報のカメラ装置の装置アドレスに属する前記カメラ装置からの前記施術師を養成する為の研修中の映像・音声を含む研修実況情報をその施術師端末装置に送信する研修公開手段と、
前記施術師端末装置からの研修再生要求信号に応答して、前記カリキュラム情報の一覧をその施術師端末装置に送信し、その中から前記カリキュラム情報の選択を受け付けて、そのカリキュラム情報の研修科目より、該当する前記研修録画情報を取得してその研修録画情報の映像・音声をその施術師端末装置に送信しながら再生する研修再受講手段と、
前記施術師端末装置からの代替医療法検索要求信号に応答して、腰痛、肩こり、関節痛とに少なくとも分類した症状分類名の一覧をその施術師端末装置に送信し、その中から前記症状分類名の選択を受け付けて、その症状分類名より、該当する前記症例情報の一覧をその施術師端末装置に送信し、その中から前記症例情報の選択を受け付けて、その症例情報をその施術師端末装置に送信する症例調査手段とを備えることを特徴とする。
【００１１】
この請求項１に記載の発明によれば、施術師の志望者は、多くの技術教育機関やその研修科目の中から希望する技術教育機関や研修科目を選択する際に、従来からの紹介冊子に加えて、研修中の様子を公開した映像・音声によって、より詳細に研修内容を確認することができる。
又、受講した研修科目の研修内容に習得できなかった部分がある場合は、何度でも繰り返しその研修科目の映像・音声を再生して習得することができる。
研修の終了後、施術院を開業した施術師は、患者に対する代替医療法が行き詰まった時に、その症状に対する代替医療法を蓄積した症例情報より容易に取得することができる。
【００１２】
請求項２に記載の発明は、前記情報記憶装置が、前記研修科目毎及び研修開催場所毎にその研修内容と講師名と募集申込人数と現在申込人数とを含む集合研修申込集計情報を更に含み、
前記支援管理装置が、前記施術師端末装置からの集合研修申込要求信号に応答して、前記集合研修申込集計情報の一覧をその施術師端末装置に送信し、その中から前記集合研修申込集計情報の選択と、受講希望者の氏名と連絡先とを含む集合研修申込情報の入力とを受け付けて前記情報記憶装置に登録し、選択を受け付けた集合研修申込集計情報の現在申込人数に１を加算して更新する集合研修申込手段と、
前記集合研修申込集計情報の現在申込人数が申込人数に達した場合は、その集合研修申込集計情報に研修開催日程を付加した集合研修案内情報をその集合研修申込集計情報に属する受講希望者の前記施術師端末装置に送信すると共に、前記情報記憶装置に登録する集合研修案内手段とを更に備えることを特徴とする。
【００１３】
この請求項２に記載の発明によれば、集合研修の受講を希望する施術師の志望者は、希望する地域で開催される集合研修を選択してその受講を申し込むことができる。
【００１４】
請求項３に記載の発明は、前記支援管理装置が、前記施術師端末装置からの代替医療法回答公募要求信号に応答して、症状分類名毎及びその詳細症状分類名毎にその詳細症状内容と実施代替医療法と質問内容と質問施術院名とを含む代替医療法質問情報の入力を受け付けて、その代替医療法質問情報を前記情報記憶装置に登録して、その詳細症状内容に対する代替医療法の回答を公募する代替医療法回答公募手段と、
前記施術師端末装置からの代替医療法回答登録要求信号に応答して、前記代替医療法質問情報の一覧をその施術師端末装置に送信し、その中から前記代替医療法質問情報の選択を受け付けて、その代替医療法質問情報の詳細症状内容に対する回答代替医療法の入力を受け付けて、前記代替医療法質問情報の症状分類名、詳細症状分類名、及び入力を受け付けた回答代替医療法と回答施術院名とを含む代替医療法回答情報を作成して前記情報記憶装置に登録すると共に、その代替医療法回答情報を、選択を受け付けた前記代替医療法質問情報の施術師側に属するその施術師端末装置に送信する代替医療法回答手段とを更に備えることを特徴とする。
【００１５】
この請求項３に記載の発明によれば、施術院を開業した施術師は、患者に対する代替医療法が行き詰まった時に、その詳細症状内容に対する代替医療法の回答を公募して、この支援システムを利用する他の施術師からの回答を取得してその代替医療法に利用することができる。
【００１６】
請求項４に記載の発明は、前記情報記憶装置が、代替医療法を施す施術師が開業する施術院名と連絡先と所在地図とを含む施術院情報と、前記施術師が代替医療法を施した患者名と連絡先と在住地域名とを含む患者情報とを更に含み、
前記支援管理装置が、前記患者側が備える患者端末装置に通信ネットワークを介して更に接続され、
又、前記支援管理装置が、前記施術師端末装置からの開業案内要求信号に応答して、在住地域名の入力を受け付けて、該当する前記患者情報の一覧をその施術師端末装置に送信し、その施術師端末装置に属する前記施術院情報を付加した開業案内情報を前記患者情報の一覧に属するそれぞれの前記患者端末装置に送信する開業案内手段を更に備えることを特徴とする。
【００１７】
この請求項４に記載の発明によれば、代替医療法の施術を受ける患者は、その患者が在住する最寄りの施術院に通院することができ、又、施術院を開業する施術師は、新規顧客を獲得する機会を得ることができる。
【００１８】
請求項５に記載の発明は、前記カリキュラム情報の研修科目が、施術師の認定試験を含み、
前記情報記憶装置が、前記施術師の認定試験を受験する受験者名を含む受験者情報と、前記受験者名毎に前記認定試験を受験する受験科目を含む受験科目情報とを更に含み、
前記支援管理装置が、前記認定試験の合否を判定する試験官側が備える試験官端末装置に通信ネットワークを介して更に接続され、
又、前記支援管理装置が、前記試験官端末装置からの認定試験録画要求信号に応答して、前記受験者情報の一覧をその試験官端末装置に送信し、その中から前記受験者情報の選択を受け付けて、その受験者情報の受験者名より、該当する前記受験科目情報の一覧をその試験官端末装置に送信し、その中から前記受験科目情報の選択を受け付けて、その受験科目情報のカメラ装置の装置アドレスに属する前記カメラ装置からの前記受験者の認定試験中に於ける映像・音声を含む試験実況情報を前記受験科目情報に付加して登録する認定試験録画手段と、
前記試験官端末装置からの認定試験結果登録要求信号に応答して、前記受験者情報の一覧をその試験官端末装置に送信し、その中から前記受験者情報の選択を受け付けて、その受験者情報の受験者名より、該当する前記受験科目情報の一覧をその試験官端末装置に送信し、その中から前記受験科目情報の選択を受け付けて、前記受験科目情報の映像・音声をその試験官端末装置に送信しながら再生し、その受験者名と研修科目名と優良箇所と要改善箇所とそれぞれの判定理由とを含む認定試験結果情報の入力を受け付けて、その認定試験結果情報を前記情報記憶装置に登録する認定試験結果登録手段と、
前記施術師端末装置からの認定試験結果検索要求信号に応答して、その施術師端末装置に属する前記受験者情報と前記受験科目情報の一覧をその施術師端末装置に送信し、その中から前記受験科目情報の選択を受け付けて、その受験科目情報の映像・音声をその施術師端末装置に送信しながら再生し、その受験科目情報に属する前記認定試験結果情報をその施術師端末装置に送信する認定試験結果検索手段とを更に備えることを特徴とする。
【００１９】
この請求項５に記載の発明によれば、施術師の認定試験の受験者は、自己の受験科目毎の要改善箇所とその判定理由とその認定試験中に於ける映像・音声と、研修録画情報の映像・音声との相違点を比較することによって、代替医療法の未熟箇所の改善ポイントを把握してその習熟の為に利用することができる。
【００２０】
請求項６に記載の発明は、前記情報記憶装置が、代替医療法を自己療法にて施す患者が利用する為のサプリメントや自己療法器具について、その商品名と商品画像と小売単価と卸売単価と在庫数量とを含む商品情報と、前記施術院名毎及び前記商品名毎に、その在庫数量を含む在庫情報とを更に含み、
前記施術院情報と前記患者情報とが、前記施術師と前記患者側とが購入した前記商品情報による商品を決済する為の取引口座番号を更に含み、
前記支援管理装置が、前記施術師と前記患者側とが購入した前記商品情報による商品を決済する金融機関側が備える決済コンピュータに通信ネットワークを介して更に接続され、
又、前記支援管理装置が、前記施術師端末装置からの商品卸売要求信号に応答して、前記商品情報の一覧をその施術師端末装置に送信し、その中から前記商品情報の選択とその商品の卸売数量の入力とを受け付けて、その施術師端末装置に属する前記施術院情報と選択を受け付けた前記商品情報と入力を受け付けた卸売数量とより、購入者名と前記取引口座番号と振替金額とを含む商品卸売情報を作成して前記情報記憶装置に登録すると共に、該当する前記在庫情報を検索してその在庫数量に入力を受け付けた卸売数量を加算して更新する商品卸売手段と、
前記患者端末装置からの商品小売要求信号に応答して、前記施術院情報の一覧をその患者端末装置に送信し、その中から前記施術院情報の選択を受け付けて、その施術院情報より、該当する前記在庫情報を検索して前記商品情報の一覧に付加してその患者端末装置に送信し、その中から前記商品情報の選択とその商品の小売数量の入力とを受け付けて、その患者端末装置に属する前記患者情報と選択を受け付けた前記商品情報と入力を受け付けた小売数量とより、購入者名と前記取引口座番号と振替金額とを含む商品小売情報を作成して前記情報記憶装置に登録すると共に、選択を受け付けた前記施術院情報と前記商品情報とより該当する前記在庫情報を検索してその在庫数量から入力を受け付けた小売数量を減算して更新する商品小売手段と、
前記商品卸売情報と前記商品小売情報とを前記決済コンピュータに送信する商品売上送信手段とを更に備えることを特徴とする。
【００２１】
この請求項６に記載の発明によれば、代替医療法を自己療法にて施す患者は、その自己療法の助けになるサプリメントや自己療法器具等の複数商品をその担当師術師より一括して取得することができる。
施術院を開業した施術師は、代替医療法を自己療法にて施す患者に対して、施術費に加えて、商品販売の収入を得ることができる。
【００２２】
【発明の実施の形態】
以下、本発明に係る一実施の形態を図に基づいて詳細に説明する。
図１は本発明に係る施術師養成・施術院開業支援システムのシステム構成を示す模式図である。
【００２３】
図１に示すように、代替医療法を施す施術師の志望者を含む施術師側が備えるパソコン等の施術師端末装置１と、代替医療法の施術中の映像・音声を取得する為のカメラ装置２と、施術師が代替医療法を施した患者側が備えるパソコン等の患者端末装置３と、施術師の認定試験の合否を判定する試験官側が備えるパソコン等の試験官端末装置４と、施術師と患者側とが購入した商品を決済する金融機関側が備える決済コンピュータ５と、この施術師端末装置１とカメラ装置２と患者端末装置３と試験官端末装置４と決済コンピュータ５とにインターネット６を介して接続される、施術師養成・施術院開業支援システムの運用管理機関側が備える支援管理装置１０とから構成される。
【００２４】
支援管理装置１０は、手技療法やバランス活性療法を含む代替医療法を施す施術師の養成とその施術院の開業とを支援する為に必要な情報を登録する為の情報記憶装置としてのデータベース２０と、施術師端末装置１と試験官端末装置４とからの検索要求を受信して、データベース２０の検索結果を、インターネット６を介して送信するＷｅｂサーバー１１と、データベース２０を管理するデータベースサーバー１２と、施術師の養成とその施術院の開業の為の支援業務処理を行うアプリケーションサーバー１３とから構成される。
【００２５】
データベース２０は、カリキュラムテーブル２１、集合研修申込集計テーブル２２、集合研修申込テーブル２３、集合研修案内テーブル２４、受験者テーブル２５、受験科目テーブル２６、認定試験結果テーブル２７、施術院テーブル２８、患者テーブル２９、症例テーブル３０、代替医療法質問テーブル３１、代替医療法回答テーブル３２、商品テーブル３３、在庫テーブル３４、及び商品売上テーブル３５から構成される。
【００２６】
カリキュラムテーブル２１は、施術師を養成する為の研修カリキュラムの情報を記録するものである。
カリキュラム情報には、研修科目と研修順番とからなる検索キー部と、データ部に属する研修日時、研修内容、カメラ装置２のＩＰアドレス、研修録画コード、登録年月日等の情報を格納する。
研修科目には、筋肉に緊張と緩和を促すことによって骨格の歪を調整するバランス活性療法について、基本検査２０種・基本療養法９種、バランス診断法・遠隔療法、応用１（基本的な応用手技８種）・復習、冷え・足湯・サプリメント、応用２（頸部・頭部への応用手技７種）、応用２（肩・上半身への応用手技１５種）、応用２（下半身への応用手技９種）、応用２（頸部・頭部への応用手技１５種）・応用３（全体への応用手技８種・特殊手技３種）、バランス操体法１８種、復習・認定試験等が設定される。
又、カリキュラムテーブル２１は、研修録画コードによって、研修録画ファイル２１ａに格納されている施術講師による模範とする施術の様子とその施術の際の留意点とを字幕スーパーにて編集録画した映像・音声と関連付けられている。
【００２７】
集合研修申込集計テーブル２２は、施術師の志望者から申し込まれた集合研修の受付を集計した情報を記録するものである。
集合研修申込集計情報には、研修科目名と研修開催場所とからなる検索キー部と、データ部に属する研修内容、講師名、募集申込人数、現在申込人数、登録年月日等の情報を格納する。
【００２８】
集合研修申込テーブル２３は、施術師の志望者からの集合研修の申込情報を記録するものである。
集合研修申込情報には、研修科目名と研修開催場所とからなる検索キー部と、データ部に属する受講希望者の氏名、連絡先（住所、電話番号、施術師端末装置１のＩＰアドレス）、登録年月日等の情報を格納する。
【００２９】
集合研修案内テーブル２４は、集合研修を申し込んだ施術師の志望者に対して送信する集合研修の開催案内情報を記録するものである。
集合研修案内情報には、研修科目名と研修開催場所とからなる検索キー部と、データ部に属する研修開催日程、研修内容、講師名、申込人数、登録年月日等の情報を格納する。
【００３０】
受験者テーブル２５は、施術師の認定試験を受験する受験者の情報を記録するものである。
受験者情報には、検索キー部である受験者名と、ユーザーＩＤとパスワードとからなる検索キー部と、データ部に属する登録年月日等の情報を格納する。
【００３１】
受験科目テーブル２６は、受験者が施術師の認定試験を受験するの受験科目情報を記録するものである。
受験受験科目情報には、受験者名と受験科目とからなる検索キー部と、データ部に属するカメラ装置２のＩＰアドレス、試験録画コード、登録年月日等の情報を格納する。
又、受験科目テーブル２６は、試験録画コードによって、試験録画ファイル２６ａに格納されている認定試験中の様子を録画した映像・音声と関連付けられている。
【００３２】
認定試験結果テーブル２７は、受験者が施術師の認定試験を受験した試験結果情報を記録するものである。
認定試験結果情報には、受験者名と受験科目とからなる検索キー部と、データ部に属する優良箇所、優良箇所の判定理由、要改善箇所、要改善箇所の判定理由、登録年月日等の情報を格納する。
【００３３】
施術院テーブル２８は、代替医療法を施す施術師が開業する施術院の情報を記録するものである。
施術院情報には、検索キー部である施術院名と、ユーザーＩＤとパスワードとからなる検索キー部と、データ部に属する住所、連絡先（住所、電話番号、施術師端末装置１のＩＰアドレス）、所在地図コード、施術院の取引口座である銀行名・銀行支店名・預金種類・口座番号・口座名義人、支援システムの運用管理機関名、運用管理機関の取引口座である銀行名・銀行支店名・預金種類・口座番号・口座名義人、登録年月日等の情報を格納する。
又、施術院テーブル２８は、所在地図コードによって、地図ファイル２８ａに格納されている所在地図と関連付けられている。
【００３４】
患者テーブル２９は、施術院を開業した施術師が代替医療法を施した患者の情報を記録するものである。
患者情報には、検索キー部である在住地域名と、ユーザーＩＤとパスワードとからなる検索キー部と、データ部に属する患者名、性別、年齢、連絡先（住所、電話番号、患者端末装置３のＩＰアドレス）、患者の取引口座である銀行名・銀行支店名・預金種類・口座番号・口座名義人、登録年月日等の情報を格納する。
【００３５】
症例テーブル３０は、施術院を開業している施術師から提供された症例情報を記録するものである。
症例情報には、症状分類名と詳細症状分類名とからなる検索キー部と、データ部に属する詳細症状内容、代替医療法の内容、登録年月日等の情報を格納する。
症状分類名には、「腰痛」、「肩こり」、「関節痛」等が設定される。
【００３６】
代替医療法質問テーブル３１は、施術院を開業した施術師が、患者に対しての代替医療法について行き詰まった時に、他の手術師からの意見を公募する為の質問情報を記録するものである。
代替医療法質問情報には、症状分類名と詳細症状分類名と管理番号とからなる検索キー部と、データ部に属する詳細症状内容、実施代替医療法、質問内容、質問施術院名、登録年月日等の情報を格納する。
【００３７】
代替医療法回答テーブル３２は、施術院を開業した施術師が、意見を公募した質問に対して、他の施術師からの回答情報を記録するものである。
代替医療法回答情報には、症状分類名と詳細症状分類名と管理番号とからなる検索キー部と、データ部に属する回答代替医療法、回答施術院名、登録年月日等の情報を格納する。
【００３８】
商品テーブル３３は、代替医療法を自己療法にて施す患者が利用する為のサプリメントや自己療法器具についての商品情報を記録するものである。
商品情報には、検索キー部である商品名と、データ部に属するメーカー名、商品画像コード、小売単価、卸売単価、在庫数量、登録年月日等の情報を格納する。
又、商品テーブル３３は、商品画像コードによって、商品画像ファイル３３ａに格納されている商品画像と関連付けられている。
【００３９】
在庫テーブル３４は、施術院を開業した施術師が代替医療法を自己療法にて施す患者に販売するサプリメントや自己療法器具についての在庫情報を記録するものである。
在庫情報には、施術院名と商品名とからなる検索キー部と、データ部に属する在庫数量、登録年月日等の情報を格納する。
【００４０】
商品売上テーブル３５は、支援システムの運用管理機関が施術院に卸売りしたサプリメントや自己療法器具についての商品卸売情報と、施術院が患者に小売りしたサプリメントや自己療法器具についての商品小売情報とを記録するものである。
商品卸売情報には、振替区分と振替年月日とからなる検索キー部と、データ部に属す商品名、卸売数量、振替元データ（施術院名、口座名義人、銀行名、銀行支店名、預金種類、口座番号）、振替先データ（支援システムの運用管理機関名、口座名義人、銀行名、銀行支店名、預金種類、口座番号）、振替金額、登録年月日等の情報を格納する。
商品小売情報には、振替区分と振替年月日とからなる検索キー部と、データ部に属する商品名、小売数量、振替元データ（患者名、口座名義人、銀行名、銀行支店名、預金種類、口座番号）、振替先データ（施術院名、口座名義人、銀行名、銀行支店名、預金種類、口座番号）、振替金額、登録年月日等の情報を格納する。
振替区分には、「未振替」、「振替済」が設定される。
【００４１】
次に、支援管理装置１０の処理手段４０が施術師端末装置１からの要求信号に応答して、データベース２０の検索を行う処理手順について説明する。
図２は、本発明に係る支援管理装置１０の処理手段４０於ける処理の流れ図であり、処理手段は、以下の１４手段から構成される。
【００４２】
これらは、研修公開手段４１、集合研修申込手段４２、集合研修案内手段４３、研修再受講手段４４、認定試験録画手段４５、認定試験結果登録手段４６、認定試験結果検索手段４７、開業案内手段４８、症例調査手段４９、代替医療法回答公募手段５０、代替医療法回答手段５１、商品卸売手段５２、商品小売手段５３、及び商品売上送信手段５４である。
【００４３】
まず、施術師端末装置１と患者端末装置３と試験官端末装置４とからのユーザーＩＤとパスワードの入力を受け付けて使用権を判定し、使用権があればメニュー選択画面をそれぞれの端末装置に送信する。
【００４４】
研修公開手段４１は、施術師端末装置１からの研修公開要求信号に応答して、カリキュラム情報の一覧をその施術師端末装置１に送信し、その中からカリキュラム情報の選択を受け付けて、そのカリキュラム情報のＩＰアドレスに属するカメラ装置２からの施術師を養成する為の研修中の映像・音声を含む研修実況情報をその施術師端末装置１に送信する。
【００４５】
以下に、研修公開手段４１の処理手順を詳細に説明する。
（１）施術師端末装置１からの研修公開要求信号に応答して、カリキュラムテーブル２１に登録されているカリキュラム情報を全件取得して、そのカリキュラム情報の一覧が編集されている研修公開・カリキュラム選択画面を、要求信号を受け付けた施術師端末装置１に送信する。
（２）施術師端末装置１からのカリキュラム情報の選択を受け付けて、そのカリキュラム情報のＩＰアドレスに属するカメラ装置２より、研修中の講師と研修生、又は施術師と患者とを主体とした映像・音声を含む研修実況情報を取得して、要求信号を受け付けた施術師端末装置１に送信する。
【００４６】
集合研修申込手段４２は、施術師端末装置１からの集合研修申込要求信号に応答して、集合研修申込集計情報の一覧をその施術師端末装置１に送信し、その中から集合研修申込集計情報の選択と、受講希望者の氏名と連絡先とを含む集合研修申込情報の入力とを受け付けてデータベース２０に登録し、選択を受け付けた集合研修申込集計情報の現在申込人数に１を加算して更新する。
【００４７】
以下に、集合研修申込手段４２の処理手順を詳細に説明する。
（１）施術師端末装置１からの集合研修申込要求信号に応答して、集合研修申込集計テーブル２２に登録されている集合研修申込集計情報を全件取得して、その集合研修申込集計情報の一覧が編集されている集合研修申込・集合研修選択・申込入力画面を、要求信号を受け付けた施術師端末装置１に送信する。
（２）施術師端末装置１からの集合研修申込集計情報の選択と、受講希望者の氏名と連絡先とを含む集合研修申込情報の入力とを受け付けて、選択を受け付けた集合研修申込集計情報の研修科目名と研修開催場所とを入力を受け付けた集合研修申込情報に付加して集合研修申込テーブル２３に登録する。
（３）（２）の処理で選択を受け付けた集合研修申込集計情報の現在申込人数に１を加算して集合研修申込集計テーブル２２を更新する。
（４）（３）の処理で、加算した現在申し込み人数と申込人数が等しい場合は、（２）の処理で選択を受け付けた集合研修申込集計情報を集合研修案内手段３３に受け渡す。
【００４８】
集合研修案内手段４３は、集合研修申込集計情報の現在申込人数が申込人数に達した場合は、その集合研修申込集計情報に研修開催日程を付加した集合研修案内情報をその集合研修申込集計情報に属する受講希望者の施術師端末装置１に送信すると共に、データベース２０に登録する。
【００４９】
以下に、集合研修案内手段４３の処理手順を詳細に説明する。
（１）集合研修案内手段４３は、支援管理装置１０の電源投入時に自動起動され、集合研修申込手段４２からの集合研修申込集計情報を受け付ける迄、ウエイトする。
（２）ウエイト解除後、（１）の処理で受け付けた集合研修申込集計情報の研修科目名と研修開催場所より、集合研修申込テーブル２３を検索して該当する集合研修申込集計情報を取得する。
（３）（２）の処理で取得した集合研修申込集計情報のＩＰアドレスに属する受講希望者の施術師端末装置１に、（１）の処理で受け付けた集合研修申込集計情報に研修開催日程を付加した集合研修案内情報を送信すると共に、集合研修案内テーブル２４に登録する。
【００５０】
研修再受講手段４４は、施術師端末装置１からの研修再生要求信号に応答して、カリキュラム情報の一覧をその施術師端末装置１に送信し、その中からカリキュラム情報の選択を受け付けて、そのカリキュラム情報の研修科目より、該当する研修録画情報を取得してその研修録画情報の映像・音声をその施術師端末装置１に送信しながら再生する。
【００５１】
以下に、研修再受講手段４４の処理手順を詳細に説明する。
（１）施術師端末装置１からの研修再生要求信号に応答して、カリキュラムテーブル２１に登録されているカリキュラム情報を全件取得して、そのカリキュラム情報の一覧が編集されている研修公開・カリキュラム選択画面を、要求信号を受け付けた施術師端末装置１に送信する。
（２）施術師端末装置１からのカリキュラム情報の選択を受け付けて、そのカリキュラム情報の研修録画コードより、研修録画ファイル２１ａに格納されている施術師の研修中の様子を録画した映像・音声を、要求信号を受け付けた施術師端末装置１に送信しながら再生する。
【００５２】
認定試験録画手段４５は、試験官端末装置４からの認定試験録画要求信号に応答して、受験者情報の一覧をその試験官端末装置４に送信し、その中から受験者情報の選択を受け付けて、その受験者情報の受験者名より、該当する受験科目情報の一覧をその試験官端末装置４に送信し、その中から受験科目情報の選択を受け付けて、その受験科目情報のカメラ装置の装置アドレスに属するカメラ装置２からの受験者の認定試験中に於ける映像・音声を含む試験実況情報を受験科目情報に付加して登録する。
【００５３】
以下に、認定試験録画手段４５の処理手順を詳細に説明する。
（１）試験官端末装置４からの認定試験録画要求信号に応答して、受験者テーブル２５に登録されている受験者情報を全件取得して、その受験者情報の一覧が編集されている認定試験録画・受験者選択画面を、要求信号を受け付けた試験官端末装置４に送信する。
（２）試験官端末装置４からの受験者情報の選択を受け付けて、その受験者情報の受験者名より、受験科目テーブル２６を検索して該当する受験科目情報を取得し、その受験科目情報一覧が編集されている認定試験録画・受験科目選択画面を、要求信号を受け付けた試験官端末装置４に送信する。
（３）試験官端末装置４からの受験科目情報の選択を受け付けて、その受験科目情報のＩＰアドレスに属するカメラ装置２より取得した受験者の認定試験中に於ける映像・音声を含む試験実況情報を試験録画ファイル２６ａに登録し、試験録画コードを受験科目情報に付加して受験科目テーブル２６を更新する。
【００５４】
認定試験結果登録手段４６は、試験官端末装置４からの認定試験結果登録要求信号に応答して、受験者情報の一覧をその試験官端末装置４に送信し、その中から受験者情報の選択を受け付けて、その受験者情報の受験者名より、該当する受験科目情報の一覧をその試験官端末装置４に送信し、その中から受験科目情報の選択を受け付けて、受験科目情報の映像・音声をその試験官端末装置４に送信しながら再生し、その受験者名と研修科目名と優良箇所と要改善箇所とそれぞれの判定理由とを含む認定試験結果情報の入力を受け付けて、その認定試験結果情報をデータベース２０に登録する。
【００５５】
以下に、認定試験結果登録手段４６の処理手順を詳細に説明する。
（１）試験官端末装置４からの認定試験結果登録要求信号に応答して、受験者テーブル２５に登録されている受験者情報を全件取得して、その受験者情報の一覧が編集されている認定試験結果登録・受験者選択画面を、要求信号を受け付けた試験官端末装置４に送信する。
（２）試験官端末装置４からの受験者情報の選択を受け付けて、その受験者情報の受験者名より、受験科目テーブル２６を検索して該当する受験科目情報を取得し、その受験科目情報一覧が編集されている認定試験結果登録・受験科目選択画面を、要求信号を受け付けた試験官端末装置４に送信する。
（３）試験官端末装置４からの受験科目情報の選択を受け付けて、その受験科目情報の試験録画コードより、試験録画ファイル２６ａに格納されている認定試験中の様子を録画した映像・音声を、要求信号を受け付けた試験官端末装置４に送信しながら再生し、認定試験結果登録・試験結果入力画面を、要求信号を受け付けた試験官端末装置４に送信する。
（４）試験官端末装置４からの優良箇所と要改善箇所とそれぞれの判定理由とを含む認定試験結果情報の入力を受け付けて、（３）の処理で選択を受け付けた受験科目情報の受験者名と研修科目名とをその認定試験結果情報に付加して認定試験結果テーブル２７に登録する。
【００５６】
認定試験結果検索手段４７は、施術師端末装置１からの認定試験結果検索要求信号に応答して、その施術師端末装置１に属する受験者情報と受験科目情報の一覧をその施術師端末装置１に送信し、その中から受験科目情報の選択を受け付けて、その受験科目情報の映像・音声をその施術師端末装置１に送信しながら再生し、その受験科目情報に属する認定試験結果情報をその施術師端末装置１に送信する。
【００５７】
以下に、認定試験結果検索手段４７の処理手順を詳細に説明する。
（１）施術師端末装置１からの認定試験結果検索要求信号に応答して、使用権の判定時に入力を受け付けたユーザーＩＤとパスワードとより、受験者テーブル２５を検索して該当する受験者情報を取得し、その受験者情報の受験者名より、受験科目テーブル２６を検索して該当する受験科目情報を取得し、その受験者情報と受験科目情報の一覧とが編集されている認定試験結果検索・受験科目選択画面を、要求信号を受け付けた施術師端末装置１に送信する。
（２）施術師端末装置１からの受験科目情報の選択を受け付けて、その受験科目情報の試験録画コードより、試験録画ファイル２６ａに格納されている認定試験中の様子を録画した映像・音声を、要求信号を受け付けた施術師端末装置１に送信しながら再生する。
（３）（２）の処理で選択を受け付けた受験科目情報の受験者名と受験科目とより、認定試験結果テーブル２７を検索して該当する認定試験結果情報を取得し、その認定試験結果情報が編集されている認定試験結果検索画面を、要求信号を受け付けた施術師端末装置１に送信する。
【００５８】
開業案内手段４８は、施術師端末装置１からの開業案内要求信号に応答して、在住地域名の入力を受け付けて、該当する患者情報の一覧をその施術師端末装置１に送信し、その施術師端末装置１に属する施術院情報を付加した開業案内情報を患者情報の一覧に属するそれぞれの患者端末装置３に送信する。
【００５９】
以下に、開業案内手段４８の処理手順を詳細に説明する。
（１）施術師端末装置１からの開業案内要求信号に応答して、開業案内・在住地域名入力画面を、要求信号を受け付けた施術師端末装置１に送信する。
（２）施術師端末装置１からの在住地域名の入力を受け付けて、患者テーブル２９を検索して該当する患者情報を取得し、その患者情報の一覧が編集されている開業案内・患者情報一覧画面を、要求信号を受け付けた施術師端末装置１に送信する。
（３）使用権の判定時に入力を受け付けたユーザーＩＤとパスワードとより、施術院テーブル２８を検索して該当する施術院情報を取得し、その施術院情報の所在地図コードより、地図ファイル２８ａに格納されている所在地図と、その施術院情報とを付加した開業案内情報を（２）の処理で取得した患者情報のＩＰアドレスに属する患者端末装置３に送信する。
【００６０】
症例調査手段４９は、施術師端末装置１からの代替医療法検索要求信号に応答して、腰痛、肩こり、関節痛とに少なくとも分類した症状分類名の一覧をその施術師端末装置１に送信し、その中から症状分類名の選択を受け付けて、その症状分類名より、該当する症例情報の一覧をその施術師端末装置１に送信し、その中から症例情報の選択を受け付けて、その症例情報をその施術師端末装置１に送信する。
【００６１】
以下に、症例調査手段４９の処理手順を詳細に説明する。
（１）施術師端末装置１からの代替医療法検索要求信号に応答して、腰痛、肩こり、関節痛とに少なくとも分類した症状分類名の一覧が編集されている症例調査・症状分類選択画面を、要求信号を受け付けた施術師端末装置１に送信する。
（２）施術師端末装置１からの症状分類名の選択を受け付けて、その症状分類名より、症例テーブル３０を検索して該当する症例情報を取得し、その症例情報の一覧が編集されている症例調査・症例選択画面を、要求信号を受け付けた施術師端末装置１に送信する。
（３）施術師端末装置１からの症例情報の選択を受け付けて、その症例情報が編集されている症例調査画面を、要求信号を受け付けた施術師端末装置１に送信する。
【００６２】
代替医療法回答公募手段５０は、施術師端末装置１からの代替医療法回答公募要求信号に応答して、症状分類名毎及びその詳細症状分類名毎にその詳細症状内容と実施代替医療法と質問内容と質問施術院名とを含む代替医療法質問情報の入力を受け付けて、その代替医療法質問情報をデータベース２０に登録して、その詳細症状内容に対する代替医療法の回答を公募する。
【００６３】
以下に、代替医療法回答公募手段５０の処理手順を詳細に説明する。
（１）施術師端末装置１からの代替医療法回答公募要求信号に応答して、代替医療法回答公募・代替医療法質問入力画面を、要求信号を受け付けた施術師端末装置１に送信する。
（２）施術師端末装置１からの症状分類名、詳細症状分類名、詳細症状内容、実施代替医療法、質問内容、質問施術院名とを含む代替医療法質問情報の入力を受け付けて、その代替医療法質問情報を代替医療法質問テーブル３１に登録する。
（３）施術院テーブル２８に登録されている施術院情報を全件取得して、その施術院情報のＩＰアドレスに属する施術師端末装置１に（２）の処理で登録した代替医療法質問情報を送信して、詳細症状内容に対する代替医療法の回答を公募する。
【００６４】
代替医療法回答手段５１は、施術師端末装置１からの代替医療法回答登録要求信号に応答して、代替医療法質問情報の一覧をその施術師端末装置１に送信し、その中から代替医療法質問情報の選択を受け付けて、その代替医療法質問情報の詳細症状内容に対する回答代替医療法の入力を受け付けて、代替医療法質問情報の症状分類名、詳細症状分類名、及び入力を受け付けた回答代替医療法と回答施術院名とを含む代替医療法回答情報を作成してデータベース２０に登録すると共に、その代替医療法回答情報を、選択を受け付けた代替医療法質問情報の施術師側に属するその施術師端末装置１に送信する。
【００６５】
以下に、代替医療法回答手段５１の処理手順を詳細に説明する。
（１）施術師端末装置１からの代替医療法回答登録要求信号に応答して、代替医療法質問テーブル３１に登録されている代替医療法質問情報を全件取得して、その代替医療法質問情報の一覧が編集されている代替医療法回答・質問選択画面を、要求信号を受け付けた施術師端末装置１に送信する。
（２）施術師端末装置１からの代替医療法質問情報の選択を受け付けて、その代替医療法質問情報が編集されている代替医療法回答・回答入力画面を、要求信号を受け付けた施術師端末装置１に送信する。
（３）施術師端末装置１からの代替医療法質問情報の詳細症状内容に対する回答代替医療法の入力を受け付けて、代替医療法質問情報の症状分類名、詳細症状分類名、及び入力を受け付けた回答代替医療法と回答施術院名とを含む代替医療法回答情報を作成して代替医療法回答テーブル３２に登録する。
（４）（２）の処理で選択を受け付けた代替医療法質問情報の実施施術師名より、施術院テーブル２８を検索して該当する施術院情報を取得し、その施術院情報のＩＰアドレスに属する施術師端末装置１に（３）の処理で登録した代替医療法回答情報を送信する。
【００６６】
商品卸売手段５２は、施術師端末装置１からの商品卸売要求信号に応答して、商品情報の一覧をその施術師端末装置１に送信し、その中から商品情報の選択とその商品の卸売数量の入力とを受け付けて、その施術師端末装置１に属する施術院情報と選択を受け付けた商品情報と入力を受け付けた卸売数量とより、購入者名と取引口座番号と振替金額とを含む商品卸売情報を作成してデータベース２０に登録すると共に、該当する在庫情報を検索してその在庫数量に入力を受け付けた卸売数量を加算して更新する。
【００６７】
以下に、商品卸売手段５２の処理手順を詳細に説明する。
（１）施術師端末装置１からの商品卸売要求信号に応答して、商品テーブル３３に登録されている商品情報を全件取得して、その商品情報の商品画像コードより、商品画像ファイル３３ａに格納されている商品画像を取得し、その商品情報と商品画像との一覧が編集されている商品卸売・商品選択・卸売数量入力画面を、要求信号を受け付けた施術師端末装置１に送信する。
（２）施術師端末装置１からの商品情報の選択とその商品の卸売数量の入力とを受け付けて、使用権の判定時に入力を受け付けたユーザーＩＤとパスワードとより、施術院テーブル２８を検索して該当する施術院情報を取得する。
（３）（２）の処理で取得した施術院情報と選択を受け付けた商品情報と入力を受け付けた卸売数量とより、「未振替」の振替区分を設定した商品卸売情報を作成して商品売上テーブル３５に登録する。
（４）（２）の処理で取得した施術院情報の施術院名と選択を受け付けた商品情報の商品名とより、在庫テーブル３４を検索して該当する在庫情報を取得し、その在庫数量に（２）の処理で入力を受け付けた卸売数量を加算して在庫テーブル３４を更新する。
【００６８】
商品小売手段５３は、患者端末装置３からの商品小売要求信号に応答して、施術院情報の一覧をその患者端末装置３に送信し、その中から施術院情報の選択を受け付けて、その施術院情報より、該当する在庫情報を検索して商品情報の一覧に付加してその患者端末装置３に送信し、その中から商品情報の選択とその商品の小売数量の入力とを受け付けて、その患者端末装置３に属する患者情報と選択を受け付けた商品情報と入力を受け付けた小売数量とより、購入者名と取引口座番号と振替金額とを含む商品小売情報を作成してデータベース２０に登録すると共に、選択を受け付けた施術院情報と商品情報とより該当する在庫情報を検索してその在庫数量から入力を受け付けた小売数量を減算して更新する。
【００６９】
以下に、商品小売手段５３の処理手順を詳細に説明する。
（１）患者端末装置３からの商品小売要求信号に応答して、施術院テーブル２８に登録されている施術院情報を全件取得して、その施術院情報の一覧が編集されている商品小売・施術院選択画面を、要求信号を受け付けた患者端末装置３に送信する。
（２）患者端末装置３からの施術院情報の選択を受け付けて、その施術院情報の施術院名より、在庫テーブル３４を検索して該当する在庫情報を取得する。
（３）商品テーブル３３に登録されている商品情報を全件取得して、その商品情報の商品画像コードより、商品画像ファイル３３ａに格納されている商品画像を取得し、その商品情報と商品画像との一覧と（２）の処理で取得した在庫情報の一覧とが編集されている商品小売・商品選択・小売数量入力画面を、要求信号を受け付けた患者端末装置３に送信する。
（４）施術師端末装置１からの商品情報の選択とその商品の小売数量の入力とを受け付けて、使用権の判定時に入力を受け付けたユーザーＩＤとパスワードとより、患者テーブル２９を検索して該当する患者情報を取得する。
（５）（４）の処理で取得した患者情報と選択を受け付けた商品情報と入力を受け付けた小売数量とより、「未振替」の振替区分を設定した商品小売情報を作成して商品売上テーブル３５に登録する。
（６）（２）の処理で選択を受け付けた施術院情報の施術院名と（４）の処理で選択を受け付けた商品情報の商品名とより、在庫テーブル３４を検索して該当する在庫情報を取得し、その在庫数量から（４）の処理で入力を受け付けた小売数量を減算して在庫テーブル３４を更新する。
【００７０】
商品売上送信手段５４は、商品卸売情報と商品小売情報とを決済コンピュータ５に送信する。
【００７１】
以下に、商品売上送信手段５４の処理手順を詳細に説明する。
（１）「未振替」を設定した振替区分より、商品売上テーブル３５を検索して該当する商品卸売情報と商品小売情報とを抽出し、決済コンピュータ５に送信する。
（２）（１）の処理で抽出した商品卸売情報と商品小売情報の振替区分に「振替済」を設定して商品売上テーブル３５を更新する。
【００７２】
以上、本発明の一実施の形態を詳細に説明したが、本発明は、本実施の形態に限られるものではない。本発明の技術的範囲から逸脱しない範囲内で多様に変更実施することが可能である。
【００７３】
【発明の効果】
以上説明したように、本発明の施術師養成・施術院開業支援システムによれば、施術師の志望者は、多くの技術教育機関やその研修科目の中から希望する技術教育機関や研修科目を選択する際に、従来からの紹介冊子に加えて、研修公開手段によって研修中の様子を公開して、より詳細に研修内容を確認することができる。
又、集合研修の受講を申し込む際に、集合研修申込手段によって希望する地域で開催される集合研修を選択してその受講を申し込むことができる。
又、受講した研修科目の研修内容に習得できなかった部分がある場合は、研修再受講手段によって何度でも繰り返しその研修科目の映像・音声を再生して習得することができる。
【００７４】
施術院を開業する施術師は、開業案内手段によって新規顧客を獲得する機会を得ることができる。
又、患者に対する代替医療法が行き詰まった時に、代替医療法回答公募手段によってその詳細症状内容に対する代替医療法の回答を公募し、代替医療法回答手段によってこの支援システムを利用する他の施術師からの回答を取得してその代替医療法に利用することができる。
【図面の簡単な説明】
【図１】本発明に係る施術師養成・施術院開業支援システムのシステム構成を示す模式図である。
【図２】本発明に係る支援管理装置の処理手段に於ける処理の流れ図である。
【図３】本発明に係る支援管理装置の処理手段に於ける処理の流れ図である。
【符号の説明】
１  施術師端末装置
２  カメラ装置
３  患者端末装置
４  試験官端末装置
５  決済コンピュータ
６  インターネット
１０  支援管理装置
１１  Ｗｅｂサーバー
１２  データベースサーバー
１３  アプリケーションサーバー
２０  データベース
２１  カリキュラムテーブル
２１ａ  研修録画ファイル
２２  集合研修申込集計テーブル
２３  集合研修申込テーブル
２４  集合研修案内テーブル
２５  受験者テーブル
２６  受験科目テーブル
２７  認定試験結果テーブル
２８  施術院テーブル
２８ａ  地図ファイル
２９  患者テーブル
３０  症例テーブル
３１  代替医療法質問テーブル
３２  代替医療法回答テーブル
３３  商品テーブル
３４  在庫テーブル
３５  商品売上テーブル
４０  支援管理装置の処理手段
４１  研修公開手段
４２  集合研修申込手段
４３  集合研修案内手段
４４  研修再受講手段
４５  認定試験録画手段
４６  認定試験結果登録手段
４７  認定試験結果検索手段
４８  開業案内手段
４９  症例調査手段
５０  代替医療法回答公募手段
５１  代替医療法回答手段
５２  商品卸売手段
５３  商品小売手段
５４  商品売上送信手段
【図１】
2004355553.tif 000003
【図２】
2004355553.tif 000004
【図３】
2004355553.tif 000005